(57)【特許請求の範囲】
【請求項１】
酸素含有ガスを通流させて、燃料ガス噴出部に導く燃焼筒が設けられ、
その燃焼筒内における先端よりも後方に、その燃焼筒内を通流する酸素含有ガスを吐出する吐出部を備えた整流板が、前記燃焼筒を横断する姿勢で設けられ、
前記燃料ガス噴出部から噴出される燃料ガスを、前記吐出部から吐出される酸素含有ガスにて燃焼させるように構成された燃焼装置であって、
前記吐出部が、前記整流板に対して前記燃焼筒内における酸素含有ガス通流方向に突出する案内部分を備える状態に構成され、
前記燃焼筒の内部に、二次燃焼のための二次酸素含有ガスを通流させる内筒が設けられ、
前記燃焼筒にて、一次燃焼のための一次酸素含有ガスを通流させる一次酸素含有ガス流路が、前記燃焼筒の筒軸心に沿う軸心方向視において、前記内筒の外側に環状に形成され、
前記整流板が環状に形成されて、環状の前記一次酸素含有ガス流路内に設けられ、
前記吐出部から吐出された一次酸素含有ガスに対して、前記燃料ガス噴出部から燃料ガスを噴出して、火炎を形成するように構成され、且つ、その火炎に対して前記内筒から二次酸素含有ガスが吐出されるように構成されている燃焼装置。
【請求項２】
前記案内部分が筒状に形成され、その筒状の案内部分における筒軸心方向の長さＬと内径Ｄとの関係が、Ｌ≧０．５Ｄになるように構成されている請求項１記載の燃焼装置。
【請求項３】
前記案内部分が、酸素含有ガスを前記燃焼筒の内面に向けて吐出すべく、酸素含有ガスを、前記燃焼筒の筒軸心に平行な方向に対して前記燃焼筒の径方向外側に傾斜する方向に方向付けて案内するように構成されている請求項１又は２記載の燃焼装置。
【発明の詳細な説明】
【０００１】
【発明の属する技術分野】
本発明は、酸素含有ガスを通流させて、燃料ガス噴出部に導く燃焼筒が設けられ、
その燃焼筒内における先端よりも後方に、その燃焼筒内を通流する酸素含有ガスを吐出する吐出部を備えた整流板が、前記燃焼筒を横断する姿勢で設けられ、
前記燃料ガス噴出部から噴出される燃料ガスを、前記吐出部から吐出される酸素含有ガスにて燃焼させるように構成された燃焼装置に関する。
【０００２】
【従来の技術】
かかる燃焼装置は、例えば、各種ボイラや吸収式冷温水機等で用いられるものであり、そして、通常、かかる燃焼装置は、それら各種ボイラや吸収式冷温水機等の燃焼装置を設置する対象となる燃焼装置設置対象機器の燃焼室にて燃料ガスを燃焼させるように設ける。
従来は、図１５及び図１６に示すように、整流板４の周方向に間隔を隔てて複数の穴４ｄを形成して、それら複数の穴４ｄを、円筒状の燃焼筒１内を通流する酸素含有ガスの一例としての燃焼用空気Ａを吐出する吐出部Ｔとするように構成していた。
図１５及び図１６において、５０は、先端を閉塞したガス供給筒であり、そのガス供給筒５０は、燃焼筒１内に、先端が燃焼筒１よりも突出する状態で燃焼筒１と同軸状に設けてあり、そのガス供給筒５０の先端側の周壁に、ガス噴出部Ｈとして、複数のガス噴出孔５１を、周方向に間隔を隔てて形成していた。
そして、複数のガス噴出孔５１から噴出される燃料ガスＧを、整流板４に形成した複数の穴４ｄから吐出される燃焼用空気Ａにて燃焼させるように構成していた。
【０００３】
【発明が解決しようとする課題】
しかしながら、従来の燃焼装置では、整流板４に吐出部Ｔとして形成した穴４ｄには、そこを通過する酸素含有ガスの通流を案内する作用がほとんどなく、酸素含有ガスは、整流板４の上流側での通流方向の変動がほとんど抑制されない状態で、整流板４の穴４ｄから吐出されることになるので、穴４ｄからの酸素含有ガスの吐出方向が変動し易く、もって、その穴４ｄから吐出される酸素含有ガスにて燃料ガスを燃焼させて形成される火炎の形状や形成方向が、変動し易いという問題があった。
【０００４】
説明を加えると、整流板は薄板にて形成するのが通常であるが、一方では、吐出部として機能させる穴は、所定の酸素含有ガスの吐出量を確保する必要があることから、穴の径は、整流板の厚さに対してかなり大きくする必要があって、穴の径に対する穴の長さ（整流板の厚さに等しい）の比率が小さすぎることとなり、穴の側面には、通過する酸素含有ガスの通流を案内する作用がほとんどない。ちなみに、通常、整流板の厚さは、３〜５ｍｍ程度であるが、例えば、整流板の外径が２３７ｍｍ程度の場合、吐出部として機能させる穴の径は、所定の酸素含有ガス吐出量を確保するために、例えば、２０〜５０ｍｍ程度に設定するが、穴の径を設定範囲内における最小の２０ｍｍに設定するとしても、穴の径に対する長さの比率は、１／４以下となる。
燃焼筒の流路横断方向の各部においては、酸素含有ガスの通流方向は一定ではなく変動するものであり、又、燃焼筒を通流する酸素含有ガスの全体としての通流方向が、燃焼筒の軸心に沿う方向からずれて、燃焼筒を通流する酸素含有ガスに偏流が生じる場合がある。
そして、そのように、整流板の上流で、酸素含有ガスの通流方向が変動すると、吐出部として機能させる穴には、酸素含有ガスの通流を案内する作用がほとんどないので、整流板の上流側での通流方向の変動がほとんど抑制されない状態で、整流板の穴から吐出されることになって、穴からの酸素含有ガスの吐出方向が変動し、火炎の形状や形成方向が変動することになる。
尚、火炎の形状や形成方向が変動すると、例えば、火炎が、燃焼室を区画する部材や燃焼室内の部材に接触することとなり、火炎がそれらの部材に接触すると、燃焼が不安定になるという問題が生じる。
【０００５】
ちなみに、燃焼筒の長さを長くすると、酸素含有ガスの通流方向の変動を抑制することができるが、燃焼装置が大型化するので、実用的なものではない。
又、整流板の厚さを厚くすると、穴の径に対する長さの比率が小さすぎる状態を抑制することができるが、整流板の厚さを厚くするにしても限度があるので、酸素含有ガスの通流を案内する作用を持たせる程度にまで、穴の径に対する長さの比率を大きくすることは不可能である。仮に、酸素含有ガスの通流を案内する作用を持たせる程度にまで、穴の径に対する長さの比率を大きくすると、整流板の厚さが極めて厚いものとなり、それに伴って、燃焼装置が大型化するので、実用的なものではない。
【０００６】
本発明は、かかる実情に鑑みてなされたものであり、その目的は、燃焼装置において、大型化を回避しながら火炎形成方向を安定化することにある。
【０００７】
【課題を解決するための手段】
〔請求項１記載の発明〕
請求項１に記載の特徴構成は、前記吐出部が、前記整流板に対して前記燃焼筒内における酸素含有ガス通流方向に突出する案内部分を備える状態に構成され、
前記燃焼筒の内部に、二次燃焼のための二次酸素含有ガスを通流させる内筒が設けられ、
前記燃焼筒にて、一次燃焼のための一次酸素含有ガスを通流させる一次酸素含有ガス流路が、前記燃焼筒の筒軸心に沿う軸心方向視において、前記内筒の外側に環状に形成され、
前記整流板が環状に形成されて、環状の前記一次酸素含有ガス流路内に設けられ、
前記吐出部から吐出された一次酸素含有ガスに対して、前記燃料ガス噴出部から燃料ガスを噴出して、火炎を形成するように構成され、且つ、その火炎に対して前記内筒から二次酸素含有ガスが吐出されるように構成されていることにある。
請求項１に記載の特徴構成によれば、吐出部には、整流板に対して酸素含有ガス通流方向に突出する状態で案内部分が備えられていて、その案内部分により、吐出部を通流する酸素含有ガスの通流を案内することができるので、整流板の上流側での酸素含有ガスの通流方向の変動に係らず、吐出部からの酸素含有ガス吐出方向の変動を抑制して、火炎形成方向を安定化することができる。
つまり、案内部分を、整流板に対して酸素含有ガス通流方向に突出する状態で、吐出部に備えさせるので、整流板の厚さを厚くすることなく、吐出部により酸素含有ガスの通流を案内する通流案内長さを、整流板の上流側での酸素含有ガスの通流方向の変動に係らず、吐出部からの酸素含有ガス吐出方向の変動を抑制することができるように長くすることができるのである。ちなみに、例えば、整流板に穴を形成して、案内部分をその穴に嵌め込んだ状態で設ける場合は、案内部分の長さが、通流案内長さに相当し、案内部分を、整流板の穴の縁に沿わせた状態で整流板の面に当て付けて設ける場合は、整流板の厚さと案内部分の長さを合わせたものが、通流案内長さに相当する。
又、例えば、燃焼装置設置対象機器によって燃焼室の形状が異なる場合は、燃焼室の形状に合わせて、案内部分により酸素含有ガスの通流を案内する案内方向を設定することができるので、燃焼室の形状に適合した方向にて、火炎形成方向を安定化することができる。
従って、大型化を回避しながら火炎形成方向を安定化することができるようになった。
又、吐出部からは、案内部分の通流案内作用により、吐出方向が安定した状態で一次酸素含有ガスが吐出され、そのように吐出方向が安定した状態で吐出される一次酸素含有ガスに対して、燃料ガス噴出部から燃料ガスが噴出されて、一次燃焼が行われるので、その一次燃焼により、火炎形成方向が安定した状態で火炎が形成され、そのように一次燃焼による火炎の形成方向が安定しているので、その一次燃焼による火炎に対して、内筒から二次酸素含有ガスが適正に吐出されることとなって、二次燃焼も安定して行われ、全体として、一次燃焼と二次燃焼による二段燃焼が安定して行われる。そして、二段燃焼により燃料ガスを緩慢に燃焼させることにより、火炎温度を低下させて、ＮＯｘ発生量の低減を図ることができる。
従って、大型化を回避しながら火炎形成方向を安定化することに加えて、低ＮＯｘ化を図ることができるようになった。
【０００８】
〔請求項２記載の発明〕
請求項２に記載の特徴構成は、前記案内部分が筒状に形成され、その筒状の案内部分における筒軸心方向の長さＬと内径Ｄとの関係が、Ｌ≧０．５Ｄになるように構成されていることにある。
請求項２に記載の特徴構成によれば、案内部分が筒状に形成されているので、その筒状の案内部分により、吐出部の全周にわたって酸素含有ガスの通流を効果的に案内することができる。ちなみに、案内部分を例えば樋状に形成することも可能であるが、この場合は、吐出部の周方向において部分的にしか酸素含有ガスの通流を案内できないので、案内部分を筒状に形成する場合に比べて、酸素含有ガス通流案内作用が多少劣る。
そして、本発明の発明者らは、吐出部からの酸素含有ガスの吐出方向安定化について鋭意研究し、案内部分を筒状に形成する場合に、筒状の案内部分における筒軸心方向の長さを内径の１／２よりも長く設定すると、案内部分による通流案内作用を効果的に促進させることができて、吐出部からの酸素含有ガスの吐出方向を効果的に安定化させることができることを見出した。
従って、吐出部からの酸素含有ガスの吐出方向を一段と安定化させて、火炎形成方向を一段と安定化する上で好ましい具体構成を提供することができる。
【０００９】
〔請求項３記載の発明〕
請求項３に記載の特徴構成は、前記案内部分が、酸素含有ガスを前記燃焼筒の内面に向けて吐出すべく、酸素含有ガスを、前記燃焼筒の筒軸心に平行な方向に対して前記燃焼筒の径方向外側に傾斜する方向に方向付けて案内するように構成されていることにある。
請求項３に記載の特徴構成によれば、酸素含有ガスを燃焼筒の内面に向けて吐出して、酸素含有ガスの冷却作用により燃焼筒を冷却して、燃焼筒の過熱を防止することができるようにしながら、吐出部からの酸素含有ガス吐出方向を、燃焼筒の筒軸心に平行な方向に対して燃焼筒の径方向外側に傾斜する方向に安定化することができる。
従って、大型化を回避しながら火炎形成方向を安定化することに加えて、耐久性を向上することができるようになった。
【００１１】
【発明の実施の形態】
〔第１実施形態〕
以下、本発明を第１実施形態を説明する。
図１は、本発明の燃焼装置ＢＳを設置した貫流ボイラを示し、貫流ボイラは、缶体２１の内部に多数の縦姿勢の水管２２を平面視で二重の環状に配置し、その環状水管群の中央空洞部を燃焼室２３として、燃焼装置ＢＳを、その燃焼室２３に臨ませる状態で缶体２１の上端部に設け、燃焼装置ＢＳにて、都市ガス等の燃料ガスＧを燃焼させて、その燃焼にて形成される火炎Ｆ及び発生する燃焼ガスにて、各水管２２に供給される水を加熱して蒸気を生成し、生成蒸気を蒸気需要先（図示せず）に供給するように構成してある。
【００１２】
各環状水管群は、隣接する水管２２同士をひれ状部材３２にて接続して形成してある。そして、燃焼室２３内にて発生した燃焼ガスを、内側の環状水管群と外側の環状水管群との間、並びに、外側の環状水管群の外周を通流させて、排気路３３から排出させるように、燃焼ガスの通流経路を形成してある。
【００１３】
燃焼装置ＢＳには、燃料ガス供給路２４を通じて燃料ガスＧを供給すると共に、その燃料ガスＧの燃焼用の酸素含有ガスとして、ガスタービン２５から酸素を含有する状態で排出される酸素含有ガスとしての排ガスＥ（燃焼排ガス）の全量を、排ガス供給路２６を通じて供給するように構成し、又、ブロア２７から空気供給路２８を通じて燃焼用空気を供給するように構成してある
燃料ガス供給路２４には、貫流ボイラの熱負荷に応じて、燃料ガスＧの供給量を調節する燃料ガス調節弁２９を設け、排ガス供給路２６には、排ガス用開閉弁３０を設け、空気供給路２８には、空気用開閉弁３１を設けてある。尚、詳細な説明は省略するが、熱負荷に応じた燃料ガス調節弁２９の制御は、図示しない制御装置によって自動的に行われる。
【００１４】
そして、ガスタービン２５が運転中のときは、排ガス用開閉弁３０を開弁し、空気用開閉弁３１を閉弁して、ガスタービン２５からの排ガスＥを酸素含有ガスとして燃料ガスＧを燃焼させ、ガスタービン２５の運転が停止中のときは、排ガス用開閉弁３０を閉弁し、空気用開閉弁３１を開弁して、ブロア２７からの燃焼用空気を酸素含有ガスとして燃料ガスＧを燃焼させる。尚、以下では、ガスタービン２５からの排ガスＥにて燃料ガスＧを燃焼させる場合を対象にして説明する。
【００１５】
次に、燃焼装置ＢＳについて説明する。
図２ないし図４に示すように、燃焼装置ＢＳは、酸素含有ガス（具体的には、後述する一次排ガスＥ１）を通流させて、燃料ガス噴出部Ｈに導く燃焼筒１を設け、その燃焼筒１内に、その燃焼筒１内を通流する一次排ガスＥ１を吐出する吐出部Ｔを備えた整流板としてのバッフル板４を、燃焼筒１を横断する姿勢で設け、燃料ガス噴出部Ｈから噴出される燃料ガスＧを、吐出部Ｔから吐出される一次排ガスＥ１にて燃焼させるように構成してある。
【００１６】
本発明においては、吐出部Ｔを、バッフル板４に対して燃焼筒１内における一次排ガス通流方向（酸素含有ガス通流方向に相当する）に突出する案内部分Ｐを備える状態に構成してある。
【００１７】
説明を加えると、直円筒状の燃焼筒１の内側に、径が互いに異なる直円筒状の中間筒２及び内筒３を、同軸状で且つ軸心方向に重複した状態で設けてある。内筒３の先端は、燃焼筒１の先端よりもバーナ中心軸心方向に突出させてある。ここで、直円筒状とは、筒軸心が直線状で、その筒軸心方向で径が一定な円筒状である。
尚、燃焼筒１の筒軸心は、燃焼装置ＢＳの中心軸心に一致するので、以下の説明では、燃焼筒１の軸心をバーナ中心軸心と称する場合がある。
【００１８】
燃焼筒１の両端は開口させてあり、中間筒２の先端は、内筒３に外嵌させる状態で設けた環状の閉塞板５にて閉塞し、中間筒２の後端には、その中間筒２と同軸状に、燃料ガス導入筒６を連通接続してあり、内筒３の先端は開口させ、後端は、閉塞板７にて閉塞して、中間筒２内に位置させてある。
更に、周方向に３等分した位置の夫々において、接続筒８を、一端が中間筒２の筒壁を貫通し、他端が内筒３の筒壁を貫通する状態で設けて、その接続筒８にて、中間筒２の外部と内筒３内とを連通させてある。又、中間筒２において、バーナ中心軸心方向で内筒３の後端よりも後端側の箇所には、複数個（例えば８個）の予混合用導入孔２ａを周方向に等間隔を隔てて並べて形成してある。
【００１９】
箱状の風箱９を、その挿入用開口部９ａに燃焼筒１を嵌め込み、燃料ガス導入筒６の後端を外部に突出させた状態で、燃焼筒１の後端側を覆うように設けて、風箱９内に、燃焼筒１の後端開口に連通する酸素含有ガス室１０を形成してある。
【００２０】
そして、内筒３の内部を、二次燃焼のための二次酸素含有ガスとして二次排ガスＥ２を通流させる二次酸素含有ガス路１１とし、先端開口を、二次排ガスＥ２を吐出する二次酸素含有ガス吐出口１２としてある。つまり、二次酸素含有ガス流路１１を、接続筒８にて酸素含有ガス室１０に連通させてある。
【００２１】
又、内筒３と中間筒２との間を燃料ガスＧを通流させる燃料ガス流路１３とし、即ち、燃料ガス流路１３を、バーナ中心軸心に沿うバーナ中心軸心方向視において、内筒３の外側に環状に形成し、中間筒２の先端側の周壁に、燃料ガス噴出部Ｈとしての１６個の燃料ガス噴出孔１４を、周方向に等間隔を隔てて並べて穿設してある。
中間筒２内において、内筒３の後端を閉じる閉塞板７よりも後端側の部分を、燃料ガス室１６として機能させるように構成してある。つまり、燃料ガス室１６を、横断形状が環状の燃料ガス流路１３の上流側箇所において、その燃料ガス流路１３の環状方向の全周にわたって連通する状態で、設けてある。
燃料ガス導入筒６内を、燃料ガスＧを燃料ガス室１６に導入する燃料ガス導入路１７として機能させて、その燃料ガス導入路１７を、バーナ中心軸心と同軸状に設けてある。
【００２２】
又、燃焼筒１と中間筒２との間を、一次燃焼のための一次酸素含有ガスとして一次排ガスＥ１を通流させる一次酸素含有ガス流路１５とし、即ち、一次酸素含有ガス流路１５を、バーナ中心軸心方向視において、内筒３及び中間筒２の外側に、環状に形成してある。
【００２３】
バッフル板４は、環状に形成し、一次酸素含有ガス流路１５内において、燃料ガス噴出孔１４よりも後退させた位置に位置させて、中間筒２に外嵌させ且つ燃焼筒１に内嵌させた状態で設けてある。
バッフル板４には、８個の筒嵌合用穴４ａを、周方向に等間隔を隔てて形成すると共に、複数個の一次酸素含有ガス吐出口４ｂを、全面にわたって分散させた状態で形成してある。
直円筒状吐出案内筒１８を、その筒軸心がバーナ中心軸心と平行となり、且つ、その両端がバッフル板４に対して酸素含有ガス通流方向に突出する状態で、筒嵌合用穴４ａに内嵌させて設けて、直円筒状吐出案内筒１８を案内部分Ｐとして機能させ、吐出部Ｔを直円筒状吐出案内筒１８にて構成してある。
つまり、直円筒状吐出案内筒１８を、一次排ガスＥ１（酸素含有ガスに相当する）をバーナ中心軸心と平行な方向に方向付けて案内するように構成してある。
【００２４】
例えば、燃焼筒１の内径が２３７ｍｍ、中間筒２の外径が１００ｍｍ、内筒３の外径が８０ｍｍの場合、直円筒状吐出案内筒１８の内径Ｄは２９ｍｍ、筒軸心方向の長さＬは２４ｍｍに設定する。
【００２５】
そして、燃焼装置ＢＳは、直円筒状吐出案内筒１８から吐出された一次排ガスＥ１に対して、燃料ガス噴出孔１４から燃料ガスＧを噴出して、火炎を形成するように構成し、且つ、その火炎に対して内筒３の先端の二次排ガス吐出口１２から二次酸素含有ガスＥ２が吐出されるように構成してある。
【００２６】
上述のように構成した燃焼装置ＢＳを、内筒３の先端側を、貫流ボイラの燃焼室２３に臨ませた状態で、缶体２１の上端部に設け、排ガス供給路２６及び空気供給路２８を、風箱９に形成した排ガス受入口９ｂに接続し、並びに、燃料ガス供給路２４を燃料ガス導入筒６に接続して、ガスタービン２５の運転中は、ガスタービン２５から排出される排ガスＥを燃焼装置ＢＳに供給し、燃料ガスＧを燃焼装置ＢＳに供給して燃焼させるように構成してある。
【００２７】
燃料ガス供給路２４から燃料ガス導入路１７に供給された燃料ガスＧは、流路ガス室１６を通じて燃料ガス路１３に流入し、燃料ガス路１３を通流して１６個の燃料ガス噴出孔１４から、内筒３の径方向外方に向かって、バーナ中心軸心に直交する方向に噴出される。
その場合、燃料ガスＧは、燃料ガス導入路１７を通じて、バーナ中心軸心に対応する位置から燃料ガス室１６に導入されることから、燃料ガスＧは、燃料ガス室１６内において、流路横断形状が環状の燃料ガス流路１３の環状方向に沿う方向の全周にわたって均等に分散すると共に、整圧化された後、燃料ガス流路１３に対して、その環状方向の全周にわたって均等に供給されて、燃料ガス流路１３を、その環状方向の全周にわたって均等に通流するので、燃料ガスＧは、環状に並ぶ１６個の燃料ガス噴出孔１４から均等に噴出される。
【００２８】
尚、中間筒２に形成した予混合用導入孔２ａを通じて、酸素含有ガス室１０から少量の排ガスＥが予混合用として燃料ガス室１６に供給されて、燃料ガス室１６内で、燃料ガスＧに予混合されるように構成してある。ちなみに、予混合用導入孔２ａを通じて燃料ガス室１６に供給される排ガスＥの量は、少量であり、理論酸素量よりも少ない。
【００２９】
排ガス供給路２６から酸素含有ガス室１０に供給された排ガスＥは、燃焼筒１の後端開口から一次酸素含有ガス流路１５に流入し、一次酸素含有ガス流路１５を一次排ガスＥ１として通流して直円筒状吐出案内筒１８及び一次酸素含有ガス吐出口４ｂから吐出され、並びに、接続筒８を通じて二次酸素含有ガス流路１１に流入し、二次酸素含有ガス流路１１を二次排ガスＥ２として通流して、二次酸素含有ガス吐出口１２から、バーナ中心軸心に沿う方向に吐出される。
一次排ガスＥ１は、バッフル板４の上流側での一次排ガスＥ１の通流方向の変動に係らず、直円筒状吐出案内筒１８の通流案内作用にて、バーナ中心軸心に平行な方向に方向付けられた状態で、直円筒状吐出案内筒１８から吐出される。
【００３０】
つまり、一次排ガスＥ１は、バーナ中心軸心に平行な方向に方向付けられた状態で吐出され、そのようにバーナ中心軸心に平行な方向に吐出方向が安定した状態で吐出される一次排ガスＥ１に対して、燃料ガス噴出孔１４から燃料ガスＧが噴出されて、一次燃焼が行われるので、その一次燃焼により、火炎形成方向がバーナ中心軸心に平行な方向に安定した状態で火炎が形成され、そのように一次燃焼による火炎の形成方向が安定しているので、その一次燃焼による火炎に対して、内筒３の先端の二次酸素含有ガス吐出口１２から二次排ガスＥ２が適正に吐出されることとなって、二次燃焼も安定して行われ、全体として、火炎Ｆがバーナ中心軸心に平行な方向に安定して形成される状態で、一次燃焼と二次燃焼により二段燃焼が安定して行われる。
【００３１】
しかも、燃料ガスＧは、環状に並ぶ１６個の燃料ガス噴出孔１４から均等に噴出されるので、各燃料ガス噴出孔１４にて形成される火炎Ｆの長さが揃う状態で、全ての燃料ガス噴出孔１４にて均等に燃焼させることができる。
【００３２】
上述のように燃焼するに当たっては、バッフル板４の前方に、中間筒２と燃焼筒１にて区画される環状の凹部が、燃料ガス噴出孔１４から噴出される燃料ガスＧと直円筒状吐出案内筒１８から吐出される一次排ガスＥ１との混合域Ｍとして機能する。
そして、燃料ガスＧを一次排ガスＥ１にて一次燃焼させるに当たっては、各直円筒状吐出案内筒１８から吐出される一次排ガス吐出流により、混合域Ｍ内に負圧域が形成されることから、燃料ガス噴出孔１４から噴出された燃料ガスＧの一部が、負圧域の誘引作用によって、バッフル板４の側に誘引されて、その誘引燃料ガスＧが各直円筒状吐出案内筒１８から吐出された一次排ガスＥ１にて燃焼することによって、バッフル板４の近傍から一次燃焼が始まるので、燃料ガスＧを、バッフル板４にて保炎される状態で、安定的に燃焼させることができる。
【００３３】
一次燃焼により、火炎が、二次酸素含有ガス吐出口１２から吐出される二次排ガスＥ２の外周部に、バーナ中心軸心に平行な方向に沿って形成されることから、一次燃焼で形成される火炎は、燃焼量に応じて伸び縮みするものの、その伸び縮みはバーナ中心軸心に平行な方向に沿うものであり、二次酸素含有ガス吐出口１２から吐出される二次排ガスＥ２は、一次燃焼で形成される火炎に沿うように流れている。従って、一次燃焼で形成される火炎の長さが、燃焼量の変化に伴って伸び縮みしても、一次燃焼で形成される火炎に対して、燃焼量に応じて過不足なく二次排ガスＥ２が供給されるので、燃焼量の変化にかかわらず、全体として、火炎Ｆが燃焼筒１のバーナ中心軸心に平行な方向に安定して形成される状態で、一次燃焼と二次燃焼により二段燃焼が安定して行われる。
【００３４】
従って、燃焼量が小さいときは、図３において一点鎖線にて示すように、燃料ガス噴出孔１４から噴出される燃料ガスＧの燃焼は、主として直円筒状吐出案内筒１８及び一次酸素含有ガス吐出口４ｂからの一次排ガスＥ１による一次燃焼にて行われて、排ガスが過剰となることなく安定して行われ、二次排ガスＥ２は、火炎Ｆに接触することなく、燃焼室２３内に供給される。燃焼量が、燃焼が主として一次燃焼にて行われる状態に相当する燃焼量よりも大きくなると、図３において実線にて示すように、燃料ガス噴出孔１４から噴出される燃料ガスＧの燃焼は、一次燃焼による安定した火炎にて保炎されながら、燃焼量に応じて過不足なく二次排ガスＥ２が供給される状態で行われて、安定して行われる。もって、燃焼量調節範囲の全域にわたって、安定して燃焼させることができる。
【００３５】
第１実施形態の燃焼装置ＢＳにおいては、火炎形成方向を燃焼装置ＢＳのバーナ中心軸心に平行な方向に安定化することができるので、バーナ中心軸心に沿う方向に長く、バーナ中心軸心に直交する方向に短い形状の燃焼室２３にて燃焼させるのに好適である。
【００３６】
〔第２実施形態〕
以下、本発明の第２実施形態を説明するが、第２実施形態においては、吐出部Ｔ及び案内部分Ｐの構成のみが上記の第１実施形態と異なるので、以下の説明では、第１実施形態と同じ構成要素や同じ作用を有する構成要素については、重複説明を避けるために、同じ符号を付すことにより説明を省略し、主として、吐出部Ｔ及び案内部分Ｐについて説明する。
【００３７】
図５及び図６に示すように、筒軸心の中央部で４５°屈曲した円筒状の屈曲状吐出案内筒４１を、その後部の筒軸心がバーナ中心軸心と平行となり、前部の筒軸心が燃焼筒１の径方向外側を向く姿勢で、バッフル板４に対して酸素含有ガス通流方向（具体的には、一次排ガス通流方向）下流側に突出する状態で、後端を筒嵌合用穴４ａに内嵌させて設けて、屈曲状吐出案内筒４１を案内部分Ｐとして機能させ、吐出部Ｔを屈曲状吐出案内筒４１にて構成してある。
つまり、屈曲状吐出案内筒４１を、一次排ガスＥ１（酸素含有ガスに相当する）を燃焼筒１の内面に向けて吐出すべく、燃焼筒１の筒軸心、即ちバーナ中心軸心に平行な方向に対して燃焼筒１の径方向外側に傾斜する方向に方向付けて案内するように構成してある。
【００３８】
尚、屈曲状吐出案内筒４１の両端面は、夫々、筒軸心に直交するように形成してある。第１実施形態と同様に、燃焼筒１の内径が２３７ｍｍ、中間筒２の外径が１００ｍｍ、内筒３の外径が８０ｍｍの場合、屈曲状吐出案内筒４１の内径Ｄが３０．７ｍｍ、屈曲している筒軸心の両側部分夫々の長さが１５．８ｍｍになるように形成して、屈曲状吐出案内筒４１の長さＬが内径Ｄの１／２よりも長くなるように構成してある。
【００３９】
第２実施形態では、排ガス供給路２６から酸素含有ガス室１０に供給された排ガスＥは、燃焼筒１の後端開口から一次酸素含有ガス流路１５に流入し、一次酸素含有ガス流路１５を一次排ガスＥ１として通流して屈曲状吐出案内筒４１及び一次酸素含有ガス吐出口４ｂから吐出され、並びに、接続筒８を通じて二次酸素含有ガス流路１１に流入し、二次酸素含有ガス流路１１を二次排ガスＥ２として通流して、二次酸素含有ガス吐出口１２から、バーナ中心軸心に沿う方向に吐出される。
一次排ガスＥ１は、バッフル板４の上流側での一次排ガスＥ１の通流方向の変動に係らず、屈曲状吐出案内筒４１の通流案内作用にて、バーナ中心軸心に平行な方向に対して燃焼筒１の径方向外側に傾斜する方向に方向付けられた状態で、屈曲状吐出案内筒４１から吐出され、もって、一次排ガスＥ１は燃焼筒１の内面に向けて吐出される。
【００４０】
つまり、一次排ガスＥ１は、バーナ中心軸心に平行な方向に対して燃焼筒１の径方向外側に傾斜する方向に方向付けられた状態で吐出され、そのように吐出方向が安定した状態で吐出される一次排ガスＥ１に対して、燃料ガス噴出孔１４から燃料ガスＧが噴出されて、一次燃焼が行われるので、その一次燃焼により、火炎形成方向がバーナ中心軸心に平行な方向に対して燃焼筒１の径方向外側に傾斜する方向に安定した状態で火炎が形成され、そのように一次燃焼による火炎の形成方向が安定しているので、その一次燃焼による火炎に対して、二次酸素含有ガス吐出口１２から二次排ガスＥ２が適正に吐出されることとなって、二次燃焼も安定して行われ、全体として、火炎Ｆがバーナ中心軸心に平行な方向に対して燃焼筒１の径方向外側に傾斜する方向に安定して形成される状態で、一次燃焼と二次燃焼により二段燃焼が安定して行われる。
又、一次排ガスＥ１が燃焼筒１の内面に向けて吐出されるので、その一次排ガスＥ１の冷却作用に燃焼筒１の先端の過熱が防止される。
【００４１】
しかも、燃料ガスＧは、環状に並ぶ１６個の燃料ガス噴出孔１４から均等に噴出されるので、各燃料ガス噴出孔１４にて形成される火炎Ｆの長さが揃う状態で、全ての燃料ガス噴出孔１４にて均等に燃焼させることができる。
【００４２】
第２実施形態の燃焼装置ＢＳにおいては、火炎形成方向を燃焼装置ＢＳのバーナ中心軸心に平行な方向に対して燃焼筒１の径方向外側に傾斜する方向に安定化することができるので、燃焼装置ＢＳのバーナ中心軸心に沿う方向に短く、バーナ中心軸心に直交する方向に広い形状の燃焼室２３にて燃焼させるのに好適である。
【００４３】
〔第３実施形態〕
以下、本発明の第３実施形態を説明するが、第３実施形態においては、第１実施形態と同じ構成要素や同じ作用を有する構成要素については、重複説明を避けるために、同じ符号を付すことにより説明を省略し、主として、第１実施形態と異なる構成を説明する。
第１実施形態においては、燃焼装置ＢＳは、酸素含有ガスとして、ガスタービン２５からの排ガスＥを用いる状態と、空気を用いる状態とに切り換え可能なように構成したが、第３実施形態においては、燃焼装置ＢＳは、酸素含有ガスとして空気のみを用いるように構成する。
【００４４】
図７に示すように、第１実施形態と同様に、空気供給路２８を風箱９に形成した排ガス受入口９ｂに接続してあるが、空気供給路２８には、第１実施形態において設けた空気用開閉弁３１に代えて、燃焼装置ＢＳに供給する燃焼用空気Ａの供給量を調節する空気調節弁３４を設けてある。そして、図示しない制御装置によって、熱負荷に応じた燃料ガス調節弁２９の制御に合わせて、燃料ガス調節弁２９により調節される燃料ガスＧの供給量に応じて、燃焼用空気Ａの供給量を調節するように、空気調節弁３４を制御するように構成してある。
【００４５】
中間筒２の外部と内筒３内とを連通させる接続筒８の通路横断面積は、第１実施形態よりも小さくすると共に、内筒３の先端を燃焼筒１の先端よりも突出させる量も、第１実施形態よりも少なくし、内筒３の先端開口を、二次酸素含有ガス吐出口１２としてある。
【００４６】
図７及び図８に示すように、筒軸心が直線状で、横断面形状が筒軸心方向で一定な直角筒状吐出案内筒４２を、その筒軸心がバーナ中心軸心と平行となり、且つ、その両端がバッフル板４に対して一次燃焼用空気通流方向に突出する状態で、筒嵌合用穴４ａに内嵌させて設けて、直角筒状吐出案内筒４２を案内部分Ｐとして機能させ、吐出部Ｔを直角筒状吐出案内筒４２にて構成してある。
つまり、直角筒状吐出案内筒４２を、一次燃焼用空気Ａ１をバーナ中心軸心と平行な方向に方向付けて案内するように構成してある。
【００４７】
第３実施形態では、空気供給路２８から酸素含有ガス室１０に供給された燃焼用空気Ａは、燃焼筒１の後端開口から一次酸素含有ガス流路１５に流入し、一次酸素含有ガス流路１５を一次燃焼用空気Ａ１として通流して直角筒状吐出案内筒４２及び一次酸素含有ガス吐出口４ｂから吐出され、並びに、接続筒８を通じて二次酸素含有ガス流路１１に流入し、二次酸素含有ガス流路１１を二次燃焼用空気Ａ２として通流して、二次酸素含有ガス吐出口１２から、バーナ中心軸心に沿う方向に吐出される。
一次燃焼用空気Ａ１は、バッフル板４の上流側での一次燃焼用空気Ａ１の通流方向の変動に係らず、直角筒状吐出案内筒４２の通流案内作用にて、バーナ中心軸心に平行な方向に方向付けられた状態で、直角筒状吐出案内筒４２から吐出される。
【００４８】
つまり、一次燃焼用空気Ａ１は、バーナ中心軸心に平行な方向に方向付けられた状態で吐出され、そのようにバーナ中心軸心に平行な方向に吐出方向が安定した状態で吐出される一次燃焼用空気Ａ１に対して、燃料ガス噴出孔１４から燃料ガスＧが噴出されて、一次燃焼が行われるので、その一次燃焼により、火炎形成方向がバーナ中心軸心に平行な方向に安定した状態で火炎が形成され、そのように一次燃焼による火炎の形成方向が安定しているので、その一次燃焼による火炎に対して、二次酸素含有ガス吐出口１２から二次燃焼用空気Ａ２が適正に吐出されることとなって、二次燃焼も安定して行われ、全体として、火炎Ｆがバーナ中心軸心に平行な方向に安定して形成される状態で、一次燃焼と二次燃焼により二段燃焼が安定して行われる。
【００４９】
しかも、燃料ガスＧは、環状に並ぶ１６個の燃料ガス噴出孔１４から均等に噴出されるので、各燃料ガス噴出孔１４にて形成される火炎Ｆの長さが揃う状態で、全ての燃料ガス噴出孔１４にて均等に燃焼させることができる。
【００５０】
第３実施形態の燃焼装置ＢＳは、バッフル板４の上流側での一次燃焼用空気Ａ１の通流方向の変動に係らず、直角筒状吐出案内筒４２の通流案内作用にて、一次燃焼用空気Ａ１をバーナ中心軸心に平行な方向に方向付けられた状態で、直角筒状吐出案内筒４２から吐出されるので、火炎Ｆがバーナ中心軸心に平行な方向に安定して形成される状態で、一次燃焼と二次燃焼により二段燃焼が安定して行われる。
【００５１】
以下、本発明の第４ないし第６の各実施形態を説明するが、それらの各実施形態においては、吐出部Ｔ及び案内部分Ｐの構成のみが上記の第３実施形態と異なるので、以下の説明では、第３実施形態と同じ構成要素や同じ作用を有する構成要素については、重複説明を避けるために、同じ符号を付すことにより説明を省略し、主として、吐出部Ｔ及び案内部分Ｐについて説明する。
【００５２】
〔第４実施形態〕
以下、図９及び図１０に基づいて第４実施形態を説明する。直円筒状体４３を、その筒軸心がバーナ中心軸心に平行な方向に対して燃焼筒１の径方向外側に傾斜する姿勢で、両端がバッフル板４に対して一次燃焼用空気通流方向に突出する状態で、筒嵌合用穴４ａに内嵌させて設けてある。そして、そのように、筒軸心がバーナ中心軸心に平行な方向に対して燃焼筒１の径方向外側に傾斜する姿勢で設けた直円筒状体４３（以下、傾斜状設置吐出案内筒４３と記載する場合がある）を、案内部分Ｐとして機能させ、吐出部Ｔを傾斜状設置吐出案内筒４３にて構成してある。
つまり、傾斜状設置吐出案内筒４３を、一次燃焼用空気Ａ１をバーナ中心軸心と平行な方向に対して径方向外側に傾斜する方向に方向付けて案内するように構成してある。
【００５３】
この第４実施形態の燃焼装置ＢＳでは、一次燃焼用空気Ａ１は、バーナ中心軸心に平行な方向に対して燃焼筒１の径方向外側に傾斜する方向に方向付けられた状態で吐出されるので、火炎形成方向を燃焼装置ＢＳのバーナ中心軸心に平行な方向に対して燃焼筒１の径方向外側に傾斜する方向に安定化することができ、又、一次燃焼用空気Ａ１が燃焼筒１の内面に向けて吐出されるので、その一次燃焼用空気Ａ１の冷却作用に燃焼筒１の先端の過熱が防止される。
【００５４】
〔第５実施形態〕
以下、図１１及び図１２に基づいて第５実施形態を説明する。
バッフル板４に、筒嵌合用穴４ａに代えて、８個の一次酸素含有ガス吐出口４ｃを周方向に等間隔を隔てて形成し、開口先端面を筒軸心に直交する面に対して傾斜するように形成した直円筒状体４４を、その筒軸心がバーナ中心軸心に平行な方向に対して燃焼筒１の径方向外側に傾斜する姿勢で、一次酸素含有ガス吐出口４ｃに連通する状態となるように、開口先端面をバッフル板４の裏面に当て付けて、バッフル板４に対して酸素含有ガス通流方向上流側に突出する状態で設けてある。そして、そのように、筒軸心がバーナ中心軸心に平行な方向に対して燃焼筒１の径方向外側に傾斜する姿勢で、一次酸素含有ガス吐出口４ｃに連通するように設けた直円筒状体４４（以下、傾斜状設置吐出案内筒４４と記載する場合がある）を、案内部分Ｐとして機能させ、吐出部Ｔをバッフル板４の一次酸素含有ガス吐出口４ｃと傾斜状設置吐出案内筒４４にて構成してある。
つまり、傾斜状設置吐出案内筒４４を、一次燃焼用空気Ａ１をバーナ中心軸心と平行な方向に対して燃焼筒１の径方向外側に傾斜する方向に方向付けて案内するように構成してある。
【００５５】
例えば、第１実施形態と同様に、燃焼筒１の内径が２３７ｍｍ、中間筒２の外径が１００ｍｍ、内筒３の外径が８０ｍｍの場合、傾斜状設置吐出案内筒４４の内径Ｄが２９ｍｍ、筒軸心方向の長さＬは２８ｍｍに設定する。又、傾斜状設置吐出案内筒４４の筒軸心がバーナ中心軸心に平行な方向に対して燃焼筒１の径方向外側に傾斜する角度は、例えば、１５°に設定する。
【００５６】
この第５実施形態の燃焼装置ＢＳでは、傾斜状設置吐出案内筒４４は、バッフル板４に対して酸素含有ガス通流方向下流側には突出していない。従って、各傾斜状設置吐出案内筒４４から吐出される一次排ガス吐出流により、バッフル板４の前面の一次酸素含有ガス吐出口４ｃの外周部に効果的に負圧域が形成されることになり、燃料ガス噴出孔１４から噴出された燃料ガスＧをバッフル板４の側に誘引する作用が強くなるので、その誘引燃料ガスＧが燃焼することによる保炎作用を一層助長させて、燃料ガスＧを、バッフル板４にて保炎される状態で一層、安定的に燃焼させることができる。
【００５７】
〔第６実施形態〕
以下、図１３及び図１４に基づいて第６実施形態を説明する。
開口先端面を筒軸心に直交する面に対して傾斜するように形成した先端面傾斜状吐出案内筒４５を、その先端開口が燃焼筒１の径方向外側を向き、且つ、筒軸心がバーナ中心軸心と平行となる姿勢で、その両端がバッフル板４に対して一次燃焼用空気通流方向に突出する状態で、筒嵌合用穴４ａに内嵌させて設けて、先端面傾斜状吐出案内筒４５を、案内部分Ｐとして機能させ、吐出部Ｔを先端面傾斜状吐出案内筒４５にて構成してある。
先端面傾斜状吐出案内筒４５においては、内部を通流する一次燃焼用空気Ａ１の通流抵抗は、筒軸心方向の長さが長い側の内面の方が短い側の内面よりも大きいことから、一次燃焼用空気Ａ１は筒軸心方向の長さが短い方に向かって流れやすく、バーナ中心軸心と平行な方向に対して燃焼筒１の径方向外側に傾斜する方向に向かって吐出されることとなる。つまり、先端面傾斜状吐出案内筒４５は、一次燃焼用空気Ａ１を、バーナ中心軸心と平行な方向に対して燃焼筒１の径方向外側に傾斜する方向に方向付けて案内するように構成してある。
【００５８】
先端面傾斜状吐出案内筒４５の先端面は、例えば、筒軸心に直交する面に対して４５°傾斜する面に形成してある。そして、第１実施形態と同様に、燃焼筒１の内径が２３７ｍｍ、中間筒２の外径が１００ｍｍ、内筒３の外径が８０ｍｍの場合、例えば、先端面傾斜状吐出案内筒４５の内径Ｄは２９ｍｍ、筒軸心方向の最長部分の長さＬは４０ｍｍに設定する。
【００５９】
この第６実施形態の燃焼装置ＢＳでは、一次燃焼用空気Ａ１は、バーナ中心軸心に平行な方向に対して燃焼筒１の径方向外側に傾斜する方向に方向付けられた状態で吐出されるので、火炎形成方向を燃焼装置ＢＳのバーナ中心軸心に平行な方向に対して燃焼筒１の径方向外側に傾斜する方向に安定化することができ、又、一次燃焼用空気Ａ１が燃焼筒１の内面に向けて吐出されるので、その一次燃焼用空気Ａ１の冷却作用に燃焼筒１の先端の過熱が防止される。
【００６４】
〔別実施形態〕
次に別実施形態を説明する。
（イ）  案内部分Ｐの具体構成は、上記の各実施形態において例示した構成に限定されるものではない。例えば、案内部分Ｐを樋状部材にて構成して、その樋状部材をバッフル板４の筒嵌合用穴４ａに、バッフル板４に対して酸素含有ガス通流方向に突出する状態で内嵌させて設けても良い。
又、先端側ほど小径となる先細状筒状体や、先端側ほど大径となる先太状筒状体にて構成しても良い。又、横断面形状が長円形状となる筒状体や、横断面形状が多角形状となる筒状体にて構成してもよい。
【００６５】
（ロ）  案内部分Ｐが酸素含有ガスを方向付けて吐出するように案内する際の案内方向は、上記の実施形態において例示した方向、即ち、バーナ中心軸心に平行な方向や、バーナ中心軸心に平行な方向に対して燃焼筒１の径方向外側に傾斜する方向に限定されるものではなく、燃焼室の形状等に応じて、適宜設定可能である。例えば、バーナ中心軸心に平行な方向に対して燃焼筒１の径方向内側に傾斜する方向や、バーナ中心軸心に平行な方向に対して燃焼筒１の周方向に傾斜する方向でも良い。
又、案内部分Ｐを、酸素含有ガスを燃焼筒１の内面に向けて吐出すべく、酸素含有ガスを、バーナ中心軸心に平行な方向に対して燃焼筒１の径方向外側に傾斜する方向に方向付けて案内するように構成する場合、案内方向を、燃焼筒１の筒軸心に平行な方向に対して燃焼筒１の径方向外側に傾斜させる角度は、燃焼室の形状等に応じて、適宜設定することが可能である。
【００６６】
（ハ）  案内部分Ｐにおける筒軸心方向の長さＬと内径Ｄとの関係は、適宜設定することが可能であり、Ｌ＜０．５Ｄの関係でも良いが、酸素含有ガスの吐出方向を一段と安定化させるには、Ｌ≧０．５Ｄとするのが好ましく、特に、Ｌ＝Ｄとすると、案内部分Ｐの長さを不必要に長くするのを防止しながら、酸素含有ガスの吐出方向を可及的に安定化させることができる。
【００６７】
（ニ）  上記の第１ないし第６の各実施形態においては、燃料ガス噴出部Ｈを、中間筒２の周壁に穿設する燃料ガス噴出孔１２にて構成する場合について例示したが、中間筒２の周壁に、その周壁から突出する状態で設ける筒状のガスノズルにて構成しても良い。
（ホ）  上記の第１ないし第６の各実施形態においては、中間筒２に予混合用導入孔２ａを形成して、燃料ガス室１６内で燃料ガスＧに酸素含有ガスを予混合する予混合構成を備える場合について例示したが、予混合用導入孔２ａを省略して、予混合構成を省略しても良い。
（ヘ）  上記の第１ないし第６の各実施形態においては、バッフル板４に、一次酸素含有ガス吐出口４ｂを形成したが、一次酸素含有ガス吐出口４ｂは省略が可能である。
【００６８】
（ト）  案内部分Ｐを備える状態に構成した吐出部Ｔを、バッフル板４に周方向に等間隔を隔てて設けるに当たって、その個数は、上記の第１ないし第６の各実施形態において例示した８個に限定されるものではなく、燃焼装置ＢＳの大きさや燃焼能力に応じて適宜設定可能である。例えば、６個あるいは１２個でも良い。
【００６９】
（チ）  上記の第１及び第２の各実施形態において、酸素含有ガスとしての排ガスＥは、ガスタービン２５の燃焼排ガスに限定されるものではなく、エンジンの燃焼排ガスや、塗装処理装置等の各種処理装置から排出される臭気性排ガス等を用いることができる。
又、第１及び第２の各実施形態において、酸素含有ガスとして、排ガスＥと燃焼用空気とを混合したものを用いても良い。
又、上記の第３ないし第６の各実施形態において、酸素含有ガスとして、ガスタービンやエンジン等の燃焼式原動機の燃焼排ガス、あるいは、塗装処理装置等の各種処理装置から排出される臭気性排ガス等を用いることができる。
【００７０】
（リ）  本発明の燃焼装置の用途は、上記の各実施形態において例示した貫流ボイラに限定されるものではなく、各種形式の蒸気ボイラや温水ボイラ、各種の炉、吸収式冷温水機等で用いることができる。
【図面の簡単な説明】
【図１】  第１実施形態に係る燃焼装置を設けた貫流ボイラの縦断面図
【図２】  第１実施形態に係る燃焼装置の縦断面図
【図３】  第１実施形態に係る燃焼装置の要部の縦断面図
【図４】  第１実施形態に係る燃焼装置の底面図
【図５】  第２実施形態に係る燃焼装置の縦断面図
【図６】  第２実施形態に係る燃焼装置の底面図
【図７】  第３実施形態に係る燃焼装置の縦断面図
【図８】  第３実施形態に係る燃焼装置の底面図
【図９】  第４実施形態に係る燃焼装置の縦断面図
【図１０】  第４実施形態に係る燃焼装置の底面図
【図１１】  第５実施形態に係る燃焼装置の縦断面図
【図１２】  第５実施形態に係る燃焼装置の底面図
【図１３】  第６実施形態に係る燃焼装置の縦断面図
【図１４】  第６実施形態に係る燃焼装置の底面図
【図１５】  従来の燃焼装置の縦断面図
【図１６】  従来の燃焼装置の正面図
【符号の説明】
１    燃焼筒
３    内筒
４    整流板
１５  一次酸素含有ガス流路
Ｈ    燃料ガス噴出部
Ｐ    案内部分
Ｔ    吐出部
【図１】
0004148656.tif 000002
【図２】
0004148656.tif 000003
【図３】
0004148656.tif 000004
【図４】
0004148656.tif 000005
【図５】
0004148656.tif 000006
【図６】
0004148656.tif 000007
【図７】
0004148656.tif 000008
【図８】
0004148656.tif 000009
【図９】
0004148656.tif 000010
【図１０】
0004148656.tif 000011
【図１１】
0004148656.tif 000012
【図１２】
0004148656.tif 000013
【図１３】
0004148656.tif 000014
【図１４】
0004148656.tif 000015
【図１５】
0004148656.tif 000016
【図１６】
0004148656.tif 000017